(57)【要約】【課題】操作者が発信者となって連絡を取り合うような親しい通話相手が増えても、その通話相手を識別する番号を簡単に登録することができることで、使い勝手のよい迷惑電話防止装置を提供する。【解決手段】迷惑電話防止装置として機能する電話アダプタ１は、ＰＳＴＮと電話機２との間に接続される。この電話アダプタ１は、ＰＳＴＮを介して通話する相手を特定することが可能な相手先電話番号が格納される記憶手段と、ＰＳＴＮへの発信時に、発信先を示す電話番号を相手先電話番号として記憶手段に格納し、ＰＳＴＮからの着信時に、記憶手段に格納された相手先電話番号と、ＰＳＴＮから通知された発信元を示す発信者電話番号とを比較し、一致したときに通話を許可する制御手段とを備えている。【選択図】図１
2010154483.tif 000002
【特許請求の範囲】
【請求項１】
回線網に接続される迷惑電話防止装置において、
前記回線網を介して通話する相手を特定することが可能な相手先識別番号が格納される記憶手段と、
前記回線網への発信時に、発信先を示す発信先識別番号を相手先識別番号として前記記憶手段に格納し、前記回線網からの着信時に、前記記憶手段に格納された相手先識別番号と、前記回線網から通知された発信元を示す発信元識別番号とを比較し、一致したときに通話を許可する制御手段とを備えたことを特徴とする迷惑電話防止装置。
【請求項２】
前記制御手段は、指定された相手先識別番号の削除を示す特番ダイヤルが入力された場合、前記指定された相手先識別番号を前記記憶手段から削除する請求項１記載の迷惑電話防止装置。
【請求項３】
前記制御手段は、公衆電話機からの通話を許可または不許可を示す特番ダイヤルが入力された場合、前記記憶手段に公衆電話許可情報として設定し、前記公衆電話許可情報に応じて公衆電話機からの着信の許可または不許可を判定する請求項１または２記載の迷惑電話防止装置。
【発明の詳細な説明】
【技術分野】
【０００１】
本発明は、振り込み詐欺やセールス電話などの着信者が不快に感じる電話を防止することができる迷惑電話防止装置に関する。
【背景技術】
【０００２】
オレオレ詐欺や成り済まし詐欺などの振り込め詐欺に代表される詐欺行為は、例えば、突然、親族や知人に成り済ました犯罪者が電話を掛け、親族や知人の身の上に緊急事態が発生したことを告げる一方、事態収拾のための示談金を犯罪者の口座へ振り込むことを嘆願して、示談金を騙し取る手口であり、このような詐欺が多発している。電話を介して行われる振り込み詐欺への対策として特許文献１に記載された迷惑電話防止装置が知られている。
【０００３】
特許文献１に記載の電話装置は、着信時に受信した発信者電話番号が記憶手段に記憶された電話番号と一致する場合には発信者に暗証番号を問う音声情報を出力し、発信者が入力した暗証番号が記憶手段に記憶された暗証番号と一致する場合には、発信者と通話可能状態とするものである。
【先行技術文献】
【特許文献】
【０００４】
【特許文献１】特開２００６−２６２２７０号公報
【発明の概要】
【発明が解決しようとする課題】
【０００５】
しかし、特許文献１に記載の電話装置では、通話相手が増えることに対しての考慮がされていないため、操作者が発信者電話番号の登録を忘れた相手からの着信では自動的に通話が遮断されてしまい、発信者は連絡を取る手段がなくなってしまうおそれがある。
【０００６】
そこで本発明は、操作者が発信者となって連絡を取り合うような親しい通話相手が増えても、その通話相手を識別する番号を簡単に登録することができることで、使い勝手のよい迷惑電話防止装置を提供することを目的とする。
【課題を解決するための手段】
【０００７】
本発明は、回線網に接続される迷惑電話防止装置において、前記回線網を介して通話する相手を特定することが可能な相手先識別番号が格納される記憶手段と、前記回線網への発信時に、発信先を示す発信先識別番号を相手先識別番号として前記記憶手段に格納し、前記回線網からの着信時に、前記記憶手段に格納された相手先識別番号と、前記回線網から通知された発信元を示す発信元識別番号とを比較し、一致したときに通話を許可する制御手段とを備えたことを特徴とする。
【０００８】
本発明によれば、制御手段により、発信先の発信先識別番号が相手先識別番号として記憶手段に格納され、回線網から着信したときに、記憶手段に格納された相手先識別番号と、回線網から通知された発信元を示す発信元識別番号とが比較され、一致したときに通話が許可される。従って、発信しただけで発信先を示す相手先識別番号が登録されるので、登録漏れが発生することがない。
【０００９】
前記制御手段は、指定された相手先識別番号の削除を示す特番ダイヤルが入力された場合、前記指定された相手先識別番号を前記記憶手段から削除するのが望ましい。
特番ダイヤルで相手先識別番号の削除を示すことができるので、発信先を間違えた場合や一回発信して通話したけれど、今後は着信したくない場合には、簡単に着信拒否をすることができる。
【００１０】
前記制御手段は、公衆電話機からの通話を許可または不許可を示す特番ダイヤルが入力された場合、前記記憶手段に公衆電話許可情報として設定し、前記公衆電話許可情報に応じて公衆電話機からの着信の許可または不許可を判定するのが望ましい。
回線網からの発信元識別番号の通知では、どの公衆電話機からの着信かを特定することは不可能である。従って、公衆電話機からの着信を特番ダイヤルにより設定可能とすることで、公衆電話機からの着信の可能性がある場合には許可の設定を、公衆電話機からの着信の可能性が無い場合には不許可の設定をすることで、それぞれの操作者の使用環境に応じた設定を行うことができるので、更に使い勝手よい迷惑電話防止装置とすることができる。
【発明の効果】
【００１１】
本発明の迷惑電話防止装置は、発信しただけで発信先を示す相手先識別番号が登録されることで、登録漏れが発生することがないので、操作者が発信者となって連絡を取り合うような親しい通話相手が増えても、その通話相手を識別する番号を簡単に登録することができる。よって、本発明の迷惑電話防止装置は、使い勝手がよいものである。
【図面の簡単な説明】
【００１２】
【図１】本発明の実施の形態に係る電話アダプタの接続状態を示す図である。
【図２】図１に示す電話アダプタの構成を示すブロック図である。
【図３】電話番号の書き込みと読み込みを行う場合の接続を説明するための図であり、（Ａ）はＰＳＴＮを介在させたときの接続を示す図、（Ｂ）は擬似交換機を介在させたときの接続を示す図である。
【図４】発信者電話番号を表示する機能の有無を設定する際のメッセージ例を示す図である。
【図５】（Ａ）〜（Ｃ）は、記憶手段に登録された電話番号を削除するときの表示手段に表示されたメッセージ例を示す図である。
【図６】記憶手段に登録された電話番号を削除するときの表示手段に表示されたメッセージ例を示す図である。
【図７】着信許可した電話番号を登録するときの表示手段に表示されたメッセージ例を示す図である。
【図８】公衆電話機からの着信の可否を設定するときの表示手段に表示されたメッセージ例を示す図である。
【発明を実施するための形態】
【００１３】
本発明の実施の形態に係る迷惑電話防止装置を、電話アダプタを例に、図面に基づいて説明する。図１は、本発明の実施の形態に係る電話アダプタの接続状態を示す図である。図２は、図１に示す電話アダプタの構成を示すブロック図である。なお、図１においては、携帯電話と通信する中継局や基地局などは省略している。
【００１４】
図１に示すように、電話アダプタ１は、回線網の一例であるＰＳＴＮ（Public Switched Telephone Networks：公衆電話交換回線網）と電話機２との間に接続され、他の電話機３（固定電話機または携帯電話機）からの迷惑電話を防止するものである。
図２に示すように、電話アダプタ１は、回線通信手段１１と、記憶手段１２と、表示手段１３と、制御手段１４とを備えている。
【００１５】
回線通信手段１１は、ＰＳＴＮからの着信や電話機２からの発信を制御手段１４へ通知する機能を備えた回線インタフェースである。
記憶手段１２は、制御手段１４から読み書き可能な不揮発性のメモリである。記憶手段１２は、例えば、ＥＥＰＲＯＭ（Electrically Erasable and Programmable Read Only Memory）とすると小型で安価で、電池を必要としないので望ましいが、バッテリバックアップメモリとすることも可能である。記憶手段１２には、着信許可する通話相手の電話番号（相手先識別番号）や、公衆電話許可情報を含む各種設定が格納される。本実施の形態では、４００件分の電話番号を記憶することが可能なＥＥＰＲＯＭを使用している。
表示手段１３は、制御手段１４によりの表示データを表示する液晶表示パネルである。本実施の形態では、２０文字×２行のキャラクタタイプのものを使用している。
【００１６】
制御手段１４は、ＰＳＴＮへの発信時に、発信先の電話番号（発信先識別番号）を記憶手段１２に格納したり、ＰＳＴＮからの着信時に、記憶手段１２に格納された電話番号と、ＰＳＴＮから通知された発信者電話番号（発信元識別番号）とを比較し、一致したときに通話を許可したりする機能を備えている。また、制御手段１３は電話機２からの特番ダイヤルが入力されたときに、この特番ダイヤルに応じた制御を行う。更に、制御手段１４は、回線通信手段１１からのダウンロード信号やアップロード信号に応じて、電話番号を記憶手段１２から読み出したり、記憶手段１２に電話番号を書き込んだりする機能を備えている。また、制御手段１４は、接続される電話機２に、発信者電話番号を表示する機能（ナンバー・ディスプレイ（登録商標））が設けられているか否かの設定に応じて、ＰＳＴＮから電話機２へ通知される発信者電話番号を示す情報（MODEM信号）に対する制御を行う機能を備えている。
【００１７】
以上のように構成された本発明の実施の形態に係る電話アダプタの動作および使用状態を、図面に基づいて説明する。図３は、電話番号の書き込みと読み込みを行う場合の接続を説明するための図であり、（Ａ）はＰＳＴＮを介在させたときの接続を示す図、（Ｂ）は擬似交換機を介在させたときの接続を示す図である。図４は、発信者電話番号を表示する機能の有無を設定する際のメッセージ例を示す図である。図５（Ａ）〜同図（Ｃ）および図６は、記憶手段１２に登録された電話番号を削除するときの表示手段１３に表示されたメッセージ例を示す図である。図７は、着信許可した電話番号を登録するときの表示手段に表示されたメッセージ例を示す図である。図８は、公衆電話機からの着信の可否を設定するときの表示手段１３に表示されたメッセージ例を示す図である。
【００１８】
まず、使用する前に電話アダプタ１の記憶手段１２に着信を許可する電話番号の登録を行う。この登録は、直接書き込んでもよいし、パーソナルコンピュータからのダウンロードにより書き込んでもよい。
【００１９】
図３（Ａ）に示すように、ＰＳＴＮを介してパーソナルコンピュータ（以下、ＰＣと称す。）４から電話番号の書き込みおよび読み込みを行う場合には、ＰＣ４をＰＳＴＮと接続したモデム５と接続する。ＰＳＴＮを介してＰＣ４から電話アダプタ１へアップロードによる書き込み、およびダウンロードによる読み込みを行うことで、遠隔地からも簡単に電話番号の設定または確認をすることができる。
また、図３（Ｂ）に示すように、ＰＳＴＮではなく擬似交換機６を介してＰＣ４から電話番号の書き込みおよび読み込みを行うことで、工場内での書き込みや読み込みを行うことも可能である。
【００２０】
ＰＣ４において、アップロード・ダウンロードを行うアプリケーションを動作させる。アップロードの場合には、ＰＣ４がアップロード信号と共に着信許可をしたい通話相手の電話番号を出力する。電話アダプタ１では、アップロード信号を受信した制御手段１４が受信した電話番号を記憶手段１２に書き込む。このように、電話番号の設定を一度で完了することができる。
【００２１】
ダウンロードの場合には、ＰＣ４がダウンロード信号を出力することで、制御手段１４が記憶手段１２から着信許可する通話相手の電話番号を読み出してＰＣ４へ送信する。ＰＣ４では受信した電話番号を一覧表示する。このように、電話アダプタ１に登録された電話番号を読み出してＰＣ４側に表示することにより、電話番号の確認が一度で行うことができる。
【００２２】
登録が完了すると、電話アダプタ１を操作者の自宅に設置する。電話アダプタ１を設置する場合には、図１に示すように、ＰＳＴＮと電話機２との間に接続する。
【００２３】
電話アダプタ１を設置したら、まず、電話機２に発信者電話番号を表示する機能が設けられているか否かを示すナンバー・ディスプレイ機能の有無の設定を行う。この設定は、電話機２をオフフックして、電話機２の特番を示す「＊」ボタンと「０」，「０」とを連続して押下する。制御手段１４は、この特番ダイヤルが押下されたことを認識すると、図４に示すようなメッセージを表示する。この「イチジチャクシン  アリ＝１  ナシ＝２」の表示を見た操作者は、ナンバー・ディスプレイ機能付きの電話機２であれば「１」ボタンを押下する。ナンバー・ディスプレイ機能がない電話機２であれば「２」ボタンを押下する。
制御手段１４は、「１」ボタンであればナンバー・ディスプレイ受信機能を無効とし、「２」ボタンであればナンバー・ディスプレイ受信機能を有効とする。この設定は記憶手段１２に格納される。
ナンバー・ディスプレイ受信機能が無効である場合には、着信した際の動作として、情報等を通知するＭＯＤＥＭ信号をモニタして、発信者電話番号を表示手段１３に表示すると共に、ＭＯＤＥＭ信号を電話機２へ出力する。つまり、ＭＯＤＥＭ信号に対する応答は電話機２側で行う。
ナンバー・ディスプレイ受信機能が有効である場合には、着信した際の動作として、ＭＯＤＥＭ信号に対する応答を行うと共に、発信者電話番号を表示手段１３に表示する。
【００２４】
ＰＳＴＮに接続される電話機は、２台接続した状態でナンバー・ディスプレイ機能を使用することができない。しかし、本実施の形態に係る電話アダプタ１では、電話機２側において発信者電話番号の表示機能がある場合に、ＭＯＤＥＭ信号をモニタするのみでＭＯＤＥＭ信号に対する応答をしないことで、表示手段１３に発信者電話番号を表示させることができるだけでなく、電話機２側でも表示させることができる。
【００２５】
他の電話機３からの着信を検出した制御手段１４は、ＰＳＴＮからの発信者電話番号に基づいて記憶手段１２に登録された電話番号を検索する。この発信者電話番号が記憶手段１２に格納されている電話番号と一致していれば、発信者が親族または知人であると言えるので、着信を許可してもよいことになる。従って、制御手段１４は、電話機２に対して着信動作を行う。
【００２６】
また、発信者電話番号が記憶手段１２に格納されている電話番号と一致しなければ、発信者が見知らぬ人であると言えるので、着信を拒否してもよいことになる。従って、制御手段１４は、電話機２に対して着信動作を行わない。着信動作を行わないことで、電話機２では、着信の報知など操作者への通知が一切ないので、操作者にとっては着信に気が付かない。従って、操作者は、迷惑電話が気になることはない。また、制御手段１４が着信拒否するときに切断動作とせずに、着信動作を行なわないようにすることで、発信者側に課金されないので、発信者側に課金されたために発生するかもしれない不慮のトラブルの発生を防止することができる。
【００２７】
次に、操作者が発信した場合を説明する。電話機２から発信を検出した制御手段１４は、電話機２からの発信先の電話番号（発信先識別番号）に基づいて記憶手段１２内を検索する。検索した結果、未登録の電話番号であると判定された場合には重複登録とはならないので、制御手段１４は、ＰＳＴＮへの発信動作と共に、新たな通話許可の電話番号（相手先識別番号）として記憶手段１２に格納する。このように発信先の電話番号が通話許可の対象となる電話番号として記憶手段１２に格納されることで、発信しただけで発信先を示す電話番号を登録することができる。
【００２８】
従って、通話許可したい電話番号の登録漏れが発生することがないので、操作者が発信者となって連絡を取り合うような親しい通話相手が増えても、その通話相手を識別する番号を簡単に登録することができる。よって、電話アダプタ１を使い勝手をよいものとすることができる。
【００２９】
次に、誤って電話を掛けてしまった場合の対処について、図５および図６に基づいて説明する。間違い電話をすると、その相手先の電話番号は着信許可の対象の電話番号として記憶手段１２に登録されてしまう。例えば、悪意のある者へ誤って電話を掛けたために電話番号が知られ、悪意のある者から反対に迷惑電話が掛かってしまうおそれがある。この場合に発信してしまい登録されてしまった電話番号を記憶手段１２から削除する操作を行う。この操作は２通りある。
【００３０】
まず、電話機２の特番を示す「＊」ボタンと「７」，「７」とを連続して押下する。制御手段１４は、この特番ダイヤルが押下されたことを認識すると、図５（Ａ）に示すようなメッセージを表示する。この「ショウキョスルデンワバンゴウヲニュウリョクシテクダサイ」の表示を見た操作者は、消去したい電話番号と、電話番号の入力が完了したことを示す「＃」ボタンを押下する。
【００３１】
制御手段１４は、入力された電話番号に基づいて記憶手段１２を検索する。検索された結果、入力された電話番号が記憶手段１２に登録されていなければ、図５（Ｂ）に示すメッセージを表示する。入力された電話番号が記憶手段１２に登録されていれば、図５（Ｃ）に示すメッセージと電話番号を表示する。操作者は、表示された電話番号に間違いがなければ「１」ボタンを押下する。間違って入力したときには「２」ボタンを押下する。
【００３２】
「１」ボタンが押下された場合には、制御手段１４は記憶手段１２から該当する電話番号を削除する。このように着信許可する電話番号から削除したい場合には、特番ダイヤルで登録を簡単に削除することができる。従って、発信先を間違えた場合や一回発信して通話したけれど、今後は着信したくない場合には、簡単に着信拒否をすることができる。
【００３３】
制御手段１４は電話番号の削除が完了すると、再度、図５（Ａ）のメッセージを表示して次の電話番号の入力待ちとなる。引き続いて電話番号の削除を行う場合には、操作者は電話番号を入力する。電話番号の削除が完了した場合には、操作者は受話器をオンフックする。この制御手段１４はオンフックを検出すると表示を消去して通常動作に戻る。
【００３４】
記憶手段１２に登録された電話番号を削除するもう一方の方法について説明する。まず、電話機２の特番を示す「＊」ボタンと「７」，「８」とを連続して押下する。制御手段１４は、この特番ダイヤルが押下されたことを認識すると、図６に示すようなメッセージを表示する。表示手段１３に表示された電話番号をパスして次の電話番号を表示させたい場合には「１」ボタンを押下する。前の電話番号を再表示させたい場合には「２」ボタンを押下する。表示されている電話番号を削除したい場合には「３」ボタンを押下する。
【００３５】
「１」ボタンの押下であれば、制御手段１４は記憶手段１２から次の電話番号を読み出して表示手段１３へ表示する。「２」ボタンの押下であれば、制御手段１４は記憶手段１２から前の電話番号を読み出して表示手段１３へ表示する。「３」ボタンの押下であれば、制御手段１４は記憶手段１２から表示していた電話番号を削除して次の電話番号を読み出して表示する。
操作者は削除が完了すればオンフックする。制御手段１４はオンフックを検出すると表示を消去して通常動作に戻る。この方法では、最初に電話番号が表示されるので、記憶手段１２に登録された電話番号を確認したい場合でも使用することができる。
【００３６】
次に、電話番号を登録する方法について、図７に基づいて説明する。これは、その電話番号に発信していないが、その電話番号からの着信であれば通話したい場合に、予め登録しておくものである。
まず、電話機２の特番を示す「＊」ボタンと「９」，「９」とを連続して押下する。制御手段１４は、この特番ダイヤルが押下されたことを認識すると、図７（Ａ）に示すようなメッセージを表示する。この「キョカスルデンワバンゴウヲニュウリョクシテクダサイ」の表示を見た操作者は、登録したい電話番号と電話番号の入力が完了したことを示す「＃」ボタンを押下する。
【００３７】
制御手段１４は、入力された電話番号を記憶手段１２へ格納すると共に、図７（Ｂ）に示すメッセージを表示する。このようにして簡単に登録できるので、着信許可したい電話番号を登録のためにわざわざ発信しなくても操作により登録することができる。
【００３８】
次に、公衆電話機からの着信の設定について図８に基づいて説明する。
まず、電話機２の特番を示す「＊」ボタンと「０」，「１」とを連続して押下する。制御手段１４は、この特番ダイヤルが押下されたことを認識すると、図８に示すようなメッセージを表示する。この「コウシュウデンワ  キョカ＝１  フカ＝２」の表示を見た操作者は、公衆電話機からの着信を許可したい場合には「１」ボタンを押下する。拒否したい場合には「２」ボタンを押下する。
【００３９】
制御手段１４は、「１」ボタンの押下を検出した場合には公衆電話機からの着信許可の設定を、「２」ボタンの押下を検出した場合には公衆電話機からの着信不許可の設定を公衆電話許可情報として記憶手段１２に登録する。これは、ＰＳＴＮからの発信者電話番号の通知では、どの公衆電話機からの着信かを特定することは不可能である。従って、公衆電話機からの着信の可否を設定とすることで、それぞれの操作者の使用環境に応じた設定を行うことができるので、電話アダプタ１を更に使い勝手をよいものとすることができる。
【００４０】
以上、本発明の実施の形態について説明してきたが、本発明は前記実施の形態に限定されるものではない。本実施の形態では、回線網としてＰＳＴＮを例に説明したので、通話する相手を特定することが可能な相手先識別番号や、発信先識別番号、発信元識別番号は電話番号である。例えば、回線網がＩＰ電話などが使用するインターネットなどのネットワークであれば、これらの識別番号は、電話番号の他にＩＰアドレスや、ＭＡＣ（Media Access Control）とすることができる。
【００４１】
また、本実施の形態では、迷惑電話防止装置をＰＳＴＮと電話機２との間に接続される電話アダプタとしているが、電話機２内に実装するようにしてもよい。しかし、既に購入して設置されている電話機２に増設する形式で設置することができるので、本発明の迷惑電話防止装置は、簡単に迷惑電話の対策が図ることができる電話アダプタ１とするのが望ましい。
更に、本実施の形態で用いた特番ダイヤルは一例であるため、他の番号を使用しても、機能を特定することができれば問題はない。
【産業上の利用可能性】
【００４２】
本発明の迷惑電話防止装置は、振り込め詐欺の他に、セールス電話、わいせつ電話などの迷惑電話を防止するのに好適である。
【符号の説明】
【００４３】
１  電話アダプタ
２  電話機
１１  回線通信手段
１２  記憶手段
１３  表示手段
１４  制御手段
３  他の電話機
４  パーソナルコンピュータ（ＰＣ）
５  モデム
６  擬似交換機
【図１】
2010154483.tif 000003
【図２】
2010154483.tif 000004
【図３】
2010154483.tif 000005
【図４】
2010154483.tif 000006
【図５】
2010154483.tif 000007
【図６】
2010154483.tif 000008
【図７】
2010154483.tif 000009
【図８】
2010154483.tif 000010